(57)【要約】【課題】本発明は家庭用ナッツ殻割器を開示した。【解決手段】本発明の家庭用ナッツ殻割器は本体を含み、前記本体の頂端にはナッツ入口が設けられ、前記ナッツ入口の左右両側にはクランクチャンバが設けられ、前記ナッツ入口の左右両側にはクランクチャンバが対称的に設けられ、前記クランクチャンバの中にはクランク機構が設けられ、前記ナッツ入口の底部には押圧チャンバが設けられ、前記押圧チャンバと前記ナッツ入口との間の連通しているところが開くたび一つのナッツしか通せなく、前記押圧チャンバの左右両側には中部チャンバが対称的に設けられ、ボルトが回転し、ねじブロックを互いに接近させ、それによりプッシュプルロッドが押圧板を押し動かして互いに接近させ、押圧板はナッツを絞り、ナッツの外殻を押しつぶす。【選択図】図１
2020179087.tif 000002
【特許請求の範囲】
【請求項１】
家庭用ナッツ殻割器であって、本体を含み、前記本体の頂端にはナッツ入口が設けられ、前記ナッツ入口の左右両側にはクランクチャンバが設けられ、前記ナッツ入口の左右両側にはクランクチャンバが対称的に設けられ、前記クランクチャンバの中にはクランク機構が設けられ、前記クランク機構によってナッツを下方に落下させて前記ナッツ入口の中に引っかからないようにでき、前記ナッツ入口の底部には押圧チャンバが設けられ、前記押圧チャンバと前記ナッツ入口との間の連通しているところが開くたび一つのナッツしか通せなく、前記押圧チャンバの左右両側には中部チャンバが対称的に設けられ、前記中部チャンバの中には押圧機構が設けられ、前記押圧機構は前記ナッツの外殻を押しつぶすことができ、前記押圧チャンバの底部には阻み板チャンバが設けられ、前記阻み板チャンバの中には阻み板機構が設けられ、前記阻み板チャンバの底部には動力機構が設けられ、前記動力機構は押圧機構に動力を供給することができ、前記阻み板チャンバの底壁の中には貯蔵ボックスがスライドできるように設けられ、前記貯蔵ボックスは前記本体の前側端を貫通しており、前記貯蔵ボックスを前方に引き出すことができ、前記貯蔵ボックスに押しつぶしたナッツを盛り付けることを特徴とする家庭用ナッツ殻割器。
【請求項２】
前記クランク機構は前記クランクチャンバの底壁に設置される転輪溝を含み、左側の前記クランクチャンバを例にして詳細に説明する：前記クランクチャンバの中にはクランク軸が回転できるように設置され、前記クランク軸の頂端には小型モータが伝動できるように連結され、前記小型モータが前記クランクチャンバの頂壁の中に固定的に嵌め込まれ、前記クランクチャンバの一側端壁には押圧スライダーがスライドできるように設けられ、前記押圧スライダーの中にはクランクコンロッドがヒンジで連結され、前記クランクコンロッドが前記クランク軸と回転できるように連結され、前記クランク軸の底端が前記転輪溝の底壁を貫通しており且つ前記転輪溝の底壁と回転できるように連結され、前記クランク軸の外壁には回転輪が円周方向に固定的に設けられ、前記転輪溝の右側にはスライド板溝が設けられ、前記スライド板溝と前記ナッツ入口とが連通して設置され、前記スライド板溝の中にはスライド板がスライドできるように設けられ、前記スライド板の頂端には復帰機構が固定的に設けられ、前記スライド板の一側端面が張り線によって前記回転輪と伝動できるように連結され、小型モータを始動させ、クランク軸を回転させ、同時に回転輪がスライド板を引いて開け、押圧スライダーはナッツを押圧し、ナッツを落ちるようにさせることを特徴とする請求項１に記載の家庭用ナッツ殻割器。
【請求項３】
前記押圧機構は前記中部チャンバの中に回転できるように設置されるボルトを含み、左側の前記中部チャンバを例にして詳細に説明し、前記中部チャンバの中には上下に対称的に設置されるねじブロックがスライドできるように設けられ、前記ねじブロックは前記ボルトとねじ山によって連結され、且つ上下に対称的に設置されるねじブロックのねじ山が反対的に設けられ、前記中部チャンバの右側端壁の中にはプッシュプルロッドがスライドできるように設けられ、前記プッシュプルロッドと前記ねじブロックとの間はコンロッドによってヒンジで連結され、前記プッシュプルロッドの一側末端には押圧板が固定的に設けられ、前記押圧板が前記押圧チャンバの左右両側端壁の中にスライドできるように設けられ、ボルトが回転し、ねじブロックを互いに接近させ、それによりプッシュプルロッドが押圧板を押し動かして互いに接近させ、押圧板はナッツを絞り、ナッツの外殻を押しつぶすことを特徴とする請求項１に記載の家庭用ナッツ殻割器。
【請求項４】
前記動力機構は前記本体のうち底部に近接するところに設置される動力チャンバを含み、前記動力チャンバの底壁の中には動力モータが固定的に嵌め込まれ、前記動力モータの頂端には動力軸が伝動できるように連結され、前記動力軸の外壁には二組の同じのように設置される動力プーリが円周方向に設けられ、前記ボルトの底端が下方に延びていて設けられ、前記動力チャンバの左右両側端壁には同じのように設置されるベルトチャンバが設けられ、左側の前記ベルトチャンバを例にして詳細に説明し、前記ベルトチャンバにおいて前記ボルトの外壁には従動プリーが固定的に設けられ、前記従動プリーと前記動力プリーとの間はベルトによって伝動できるように連結され、動力モータを始動させ、動力軸を回転させ、動力軸は動力プリーを回転連動させ、これによりボルトを回転させることを特徴とする請求項１に記載の家庭用ナッツ殻割器。
【請求項５】
前記阻み板機構は前記阻み板チャンバを含み、前記阻み板チャンバの左右両側端壁には同じのように設置される凹溝が対称的に設けられ、右側の前記凹溝を例にして詳細に説明し、前記凹溝の中にはねじブロックがスライドできるように設置され、前記クランク軸の底端が前記凹溝を貫通しており且つ前記クランク軸の末端が前記凹溝の底壁と回転できるように連結され、前記クランク軸は前記ねじブロックとねじ山によって連結され、前記阻み板チャンバの頂壁には阻み板がヒンジで連結され、前記阻み板と前記ねじブロックとの間がプルロッドによってヒンジで連結され、クランク軸が回転し、前記ねじブロックを上に移動させ、阻み板を開けるまたは閉じることができることを特徴とする請求項１に記載の家庭用ナッツ殻割器。
【発明の詳細な説明】
【技術分野】
【０００１】
本発明はナッツ殻割技術分野を取り上げて、具体的には家庭用ナッツ殻割器である。
【背景技術】
【０００２】
現在のところ、伝統的なナッツ破砕殻割装置は一般的に手動で工具などを使ってナットの外殻を砕くことであり、ナッツが硬い場合は、作業者は大きな力でナッツを砕く必要があり、そのため使用時に不便で、作業者の力に対する要求もあり、したがって、ナッツを自動的に砕ける家庭用のナッツ殻割装置を設計して、上記の問題を解決する。
【先行技術文献】
【特許文献】
【０００３】
【特許文献１】中国特許出願公開第105395107号明細書
【発明の概要】
【発明が解決しようとする課題】
【０００４】
本発明は家庭用ナッツ殻割器を提供し、既存技術にある上記の欠点を解消することを目的とする。
【課題を解決するための手段】
【０００５】
本発明の家庭用ナッツ殻割器は本体を含み、前記本体の頂端にはナッツ入口が設けられ、前記ナッツ入口の左右両側にはクランクチャンバが設けられ、前記ナッツ入口の左右両側にはクランクチャンバが対称的に設けられ、前記クランクチャンバの中にはクランク機構が設けられ、前記クランク機構によってナッツを下方に落下させて前記ナッツ入口の中に引っかからないようにでき、前記ナッツ入口の底部には押圧チャンバが設けられ、前記押圧チャンバと前記ナッツ入口との間の連通しているところが開くたび一つのナッツしか通せなく、前記押圧チャンバの左右両側には中部チャンバが対称的に設けられ、前記中部チャンバの中には押圧機構が設けられ、前記押圧機構は前記ナッツの外殻を押しつぶすことができ、前記押圧チャンバの底部には阻み板チャンバが設けられ、前記阻み板チャンバの中には阻み板機構が設けられ、前記阻み板チャンバの底部には動力機構が設けられ、前記動力機構は押圧機構に動力を供給することができ、前記阻み板チャンバの底壁の中には貯蔵ボックスがスライドできるように設けられ、前記貯蔵ボックスは前記本体の前側端を貫通しており、前記貯蔵ボックスを前方に引き出すことができ、前記貯蔵ボックスに押しつぶしたナッツを盛り付ける。
【０００６】
前記クランク機構は前記クランクチャンバの底壁に設置される転輪溝を含み、左側の前記クランクチャンバを例にして詳細に説明する：前記クランクチャンバの中にはクランク軸が回転できるように設置され、前記クランク軸の頂端には小型モータが伝動できるように連結され、前記小型モータが前記クランクチャンバの頂壁の中に固定的に嵌め込まれ、前記クランクチャンバの一側端壁には押圧スライダーがスライドできるように設けられ、前記押圧スライダーの中にはクランクコンロッドがヒンジで連結され、前記クランクコンロッドが前記クランク軸と回転できるように連結され、前記クランク軸の底端が前記転輪溝の底壁を貫通しており且つ前記転輪溝の底壁と回転できるように連結され、前記クランク軸の外壁には回転輪が円周方向に固定的に設けられ、前記転輪溝の右側にはスライド板溝が設けられ、前記スライド板溝と前記ナッツ入口とが連通して設置され、前記スライド板溝の中にはスライド板がスライドできるように設けられ、前記スライド板の頂端には復帰機構が固定的に設けられ、前記スライド板の一側端面が張り線によって前記回転輪と伝動できるように連結され、小型モータを始動させ、クランク軸を回転させ、同時に回転輪がスライド板を引いて開け、押圧スライダーはナッツを押圧し、ナッツを落ちるようにさせる。
【０００７】
前記押圧機構は前記中部チャンバの中に回転できるように設置されるボルトを含み、左側の前記中部チャンバを例にして詳細に説明し、前記中部チャンバの中には上下に対称的に設置されるねじブロックがスライドできるように設けられ、前記ねじブロックは前記ボルトとねじ山によって連結され、且つ上下に対称的に設置されるねじブロックのねじ山が反対的に設けられ、前記中部チャンバの右側端壁の中にはプッシュプルロッドがスライドできるように設けられ、前記プッシュプルロッドと前記ねじブロックとの間はコンロッドによってヒンジで連結され、前記プッシュプルロッドの一側末端には押圧板が固定的に設けられ、前記押圧板が前記押圧チャンバの左右両側端壁の中にスライドできるように設けられ、ボルトが回転し、ねじブロックを互いに接近させ、それによりプッシュプルロッドが押圧板を押し動かして互いに接近させ、押圧板はナッツを絞り、ナッツの外殻を押しつぶす。
【０００８】
前記動力機構は前記本体のうち底部に近接するところに設置される動力チャンバを含み、前記動力チャンバの底壁の中には動力モータが固定的に嵌め込まれ、前記動力モータの頂端には動力軸が伝動できるように連結され、前記動力軸の外壁には二組の同じのように設置される動力プーリが円周方向に設けられ、前記ボルトの底端が下方に延びていて設けられ、前記動力チャンバの左右両側端壁には同じのように設置されるベルトチャンバが設けられ、左側の前記ベルトチャンバを例にして詳細に説明し、前記ベルトチャンバにおいて前記ボルトの外壁には従動プリーが固定的に設けられ、前記従動プリーと前記動力プリーとの間はベルトによって伝動できるように連結され、動力モータを始動させ、動力軸を回転させ、動力軸は動力プリーを回転連動させ、これによりボルトを回転させる。
【０００９】
前記阻み板機構は前記阻み板チャンバを含み、前記阻み板チャンバの左右両側端壁には同じのように設置される凹溝が対称的に設けられ、右側の前記凹溝を例にして詳細に説明し、前記凹溝の中にはねじブロックがスライドできるように設置され、前記クランク軸の底端が前記凹溝を貫通しており且つ前記クランク軸の末端が前記凹溝の底壁と回転できるように連結され、前記クランク軸は前記ねじブロックとねじ山によって連結され、前記阻み板チャンバの頂壁には阻み板がヒンジで連結され、前記阻み板と前記ねじブロックとの間がプルロッドによってヒンジで連結され、クランク軸が回転し、前記ねじブロックを上に移動させ、阻み板を開けるまたは閉じることができる。
【００１０】
初期状態では、押圧スライダーがお互いに最大程度で離れており、スライド板が互いに最大程度で近接しており、押圧板がお互いに最大程度で離れており、阻み板が開ける状態にある。
【００１１】
利用するとき、小型モータを始動させ、クランク軸を回転させ、クランク軸は押圧スライダーを連動させて移動させ、同時に回転輪が回転し、それによりスライド板を連動させて開け、押圧スライダーはナッツを押圧して一つのナッツを押圧チャンバの中に落とし、同時にクランク軸が回転し、前記ねじブロックを上に移動させ、これにより阻み板を閉じることができ、ナッツが阻み板に落ち、この時動力モータを始動させ、動力軸を回転させ、これにより動力プリーを回転連動させ、従動プリーがボルトを回転連動させ、ねじブロックを互いに接近させ、押圧板を互いに接近させてナッツの外殻を押しつぶし、押しつぶした後に動力モータと小型モータを反転させ、ナッツを貯蔵ボックスの中に落下させる。
【発明の効果】
【００１２】
本発明の有益な効果は：伝統的な手動で工具を使ってナットの外殻を砕くことと比べてみれば、本発明は手動で砕く手間を省き、人力を節約し、同時に二つのモータの協力により、その速度を上げ、効率がより高く、そして本発明は構造が簡単で、操作が便利で、宣伝価値がある。
【図面の簡単な説明】
【００１３】
【図１】図１は本発明の家庭用ナッツ殻割器の内部全体構成略図
【図２】図２は図１の中のＡ方向の局部拡大略図
【発明を実施するための形態】
【００１４】
下記に図１〜２を合わせて本発明について詳しく説明します。説明を便利にさせるように、ここで下記の方位に規定する：下記の上下左右前後という方向は図１の自身の投影関係の上下左右前後の方向と一致する。。
【００１５】
図１〜２を参照し、本発明の実施例の家庭用ナッツ殻割器は本体１０を含み、前記本体１０の頂端にはナッツ入口３９が設けられ、前記ナッツ入口３９の左右両側にはクランクチャンバ３４が設けられ、前記ナッツ入口３９の左右両側にはクランクチャンバ３４が対称的に設けられ、前記クランクチャンバ３４の中にはクランク機構６１が設けられ、前記クランク機構６１によってナッツ４０を下方に落下させて前記ナッツ入口３９の中に引っかからないようにでき、前記ナッツ入口３９の底部には押圧チャンバ４１が設けられ、前記押圧チャンバ４１と前記ナッツ入口３９との間の連通しているところが開くたび一つのナッツしか通せなく、前記押圧チャンバ４１の左右両側には中部チャンバ４５が対称的に設けられ、前記中部チャンバ４５の中には押圧機構６２が設けられ、前記押圧機構６２は前記ナッツ４０の外殻を押しつぶすことができ、前記押圧チャンバ４１の底部には阻み板チャンバ４２が設けられ、前記阻み板チャンバ４２の中には阻み板機構６３が設けられ、前記阻み板チャンバ４２の底部には動力機構６４が設けられ、前記動力機構６４は押圧機構６２に動力を供給することができ、前記阻み板チャンバ４２の底壁の中には貯蔵ボックス２１がスライドできるように設けられ、前記貯蔵ボックス２１は前記本体１０の前側端を貫通しており、前記貯蔵ボックス２１を前方に引き出すことができ、前記貯蔵ボックス２１に押しつぶしたナッツ４０を盛り付ける。
【００１６】
有益なまた例を示すように、前記クランク機構６１は前記クランクチャンバ３４の底壁に設置される転輪溝２８を含み、左側の前記クランクチャンバ３４を例にして詳細に説明する：前記クランクチャンバ３４の中にはクランク軸３５が回転できるように設置され、前記クランク軸３５の頂端には小型モータ３８が伝動できるように連結され、前記小型モータ３８が前記クランクチャンバ３４の頂壁の中に固定的に嵌め込まれ、前記クランクチャンバ３４の一側端壁には押圧スライダー３７がスライドできるように設けられ、前記押圧スライダー３７の中にはクランクコンロッド３６がヒンジで連結され、前記クランクコンロッド３６が前記クランク軸３５と回転できるように連結され、前記クランク軸３５の底端が前記転輪溝２８の底壁を貫通しており且つ前記転輪溝２８の底壁と回転できるように連結され、前記クランク軸３５の外壁には回転輪２９が円周方向に固定的に設けられ、前記転輪溝２８の右側にはスライド板溝３２が設けられ、前記スライド板溝３２と前記ナッツ入口３９とが連通して設置され、前記スライド板溝３２の中にはスライド板３１がスライドできるように設けられ、前記スライド板３１の頂端には復帰機構３３が固定的に設けられ、前記スライド板３１の一側端面が張り線３０によって前記回転輪２９と伝動できるように連結され、小型モータ３８を始動させ、クランク軸３５を回転させ、同時に回転輪２９がスライド板３１を引いて開け、押圧スライダー３７はナッツ４０を押圧し、ナッツ４０を落ちるようにさせる。
【００１７】
有益なまた例を示すように、前記押圧機構６２は前記中部チャンバ４５の中に回転できるように設置されるボルト１１を含み、左側の前記中部チャンバ４５を例にして詳細に説明し、前記中部チャンバ４５の中には上下に対称的に設置されるねじブロック１７がスライドできるように設けられ、前記ねじブロック１７は前記ボルト１１とねじ山によって連結され、且つ上下に対称的に設置されるねじブロック１７のねじ山が反対的に設けられ、前記中部チャンバ４５の右側端壁の中にはプッシュプルロッド１９がスライドできるように設けられ、前記プッシュプルロッド１９と前記ねじブロック１７との間はコンロッド１８によってヒンジで連結され、前記プッシュプルロッド１９の一側末端には押圧板２０が固定的に設けられ、前記押圧板２０が前記押圧チャンバ４１の左右両側端壁の中にスライドできるように設けられ、ボルト１１が回転し、ねじブロック１７を互いに接近させ、それによりプッシュプルロッド１９が押圧板２０を押し動かして互いに接近させ、押圧板２０はナッツ４０を絞り、ナッツ４０の外殻を押しつぶす。
【００１８】
有益なまた例を示すように、前記動力機構６４は前記本体１０のうち底部に近接するところに設置される動力チャンバ４６を含み、前記動力チャンバ４６の底壁の中には動力モータ１６が固定的に嵌め込まれ、前記動力モータ１６の頂端には動力軸１５が伝動できるように連結され、前記動力軸１５の外壁には二組の同じのように設置される動力プーリ４７が円周方向に設けられ、前記ボルト１１の底端が下方に延びていて設けられ、前記動力チャンバ４６の左右両側端壁には同じのように設置されるベルトチャンバ１４が設けられ、左側の前記ベルトチャンバ１４を例にして詳細に説明し、前記ベルトチャンバ１４において前記ボルト１１の外壁には従動プリー１２が固定的に設けられ、前記従動プリー１２と前記動力プリー４７との間はベルト１３によって伝動できるように連結され、動力モータ１６を始動させ、動力軸１５を回転させ、動力軸１５は動力プリー４７を回転連動させ、これによりボルト１１を回転させる。
【００１９】
有益なまた例を示すように、前記阻み板機構６３は前記阻み板チャンバ４２を含み、前記阻み板チャンバ４２の左右両側端壁には同じのように設置される凹溝２４が対称的に設けられ、右側の前記凹溝２４を例にして詳細に説明し、前記凹溝２４の中にはねじブロック２３がスライドできるように設置され、前記クランク軸３５の底端が前記凹溝２４を貫通しており且つ前記クランク軸３５の末端が前記凹溝２４の底壁と回転できるように連結され、前記クランク軸３５は前記ねじブロック２３とねじ山によって連結され、前記阻み板チャンバ４２の頂壁には阻み板２７がヒンジで連結され、前記阻み板２７と前記ねじブロック２３との間がプルロッド２６によってヒンジで連結され、クランク軸３５が回転し、前記ねじブロック２３を上に移動させ、阻み板２７を開けるまたは閉じることができる。
【００２０】
初期状態では、押圧スライダー３７がお互いに最大程度で離れており、スライド板３１が互いに最大程度で近接しており、押圧板２０がお互いに最大程度で離れており、阻み板２７が開ける状態にある。
【００２１】
利用するとき、小型モータ３８を始動させ、クランク軸３５を回転させ、クランク軸３５は押圧スライダー３７を連動させて移動させ、同時に回転輪２９が回転し、それによりスライド板３１を連動させて開け、押圧スライダー３７はナッツ４０を押圧して一つのナッツ４０を押圧チャンバ４１の中に落とし、同時にクランク軸３５が回転し、前記ねじブロック２３を上に移動させ、これにより阻み板２７を閉じることができ、ナッツ４０が阻み板２７に落ち、この時動力モータ１６を始動させ、動力軸１５を回転させ、これにより動力プリー４７を回転連動させ、従動プリー１２がボルト１１を回転連動させ、ねじブロック１７を互いに接近させ、押圧板２０を互いに接近させてナッツ４０の外殻を押しつぶし、押しつぶした後に動力モータ１６と小型モータ３８を反転させ、ナッツ４０を貯蔵ボックス２１の中に落下させる。
【００２２】
本発明の有益な効果は：伝統的な手動で工具を使ってナットの外殻を砕くことと比べてみれば、本発明は手動で砕く手間を省き、人力を節約し、同時に二つのモータの協力により、その速度を上げ、効率がより高く、そして本発明は構造が簡単で、操作が便利で、宣伝価値がある。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179087.tif 000003
【図２】
2020179087.tif 000004
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
家庭用ナッツ殻割器であって、本体を含み、前記本体の頂端にはナッツ入口が設けられ、前記ナッツ入口の左右両側にはクランクチャンバが設けられ、前記ナッツ入口の左右両側にはクランクチャンバが対称的に設けられ、前記クランクチャンバの中にはクランク機構が設けられ、前記クランク機構によってナッツを下方に落下させて前記ナッツ入口の中に引っかからないようにでき、前記ナッツ入口の底部には押圧チャンバが設けられ、前記押圧チャンバと前記ナッツ入口との間の連通しているところが開くたび一つのナッツしか通せなく、前記押圧チャンバの左右両側には中部チャンバが対称的に設けられ、前記中部チャンバの中には押圧機構が設けられ、前記押圧機構は前記ナッツの外殻を押しつぶすことができ、前記押圧チャンバの底部には阻み板チャンバが設けられ、前記阻み板チャンバの中には阻み板機構が設けられ、前記阻み板チャンバの底部には動力機構が設けられ、前記動力機構は押圧機構に動力を供給することができ、前記阻み板チャンバの底壁の中には貯蔵ボックスがスライドできるように設けられ、前記貯蔵ボックスは前記本体の前側端を貫通しており、前記貯蔵ボックスを前方に引き出すことができ、前記貯蔵ボックスに押しつぶしたナッツを盛り付けることを特徴とする家庭用ナッツ殻割器。
【請求項２】
前記クランク機構は前記クランクチャンバの底壁に設置される転輪溝を含み、左側の前記クランクチャンバを例にして詳細に説明する：前記クランクチャンバの中にはクランク軸が回転できるように設置され、前記クランク軸の頂端には小型モータが伝動できるように連結され、前記小型モータが前記クランクチャンバの頂壁の中に固定的に嵌め込まれ、前記クランクチャンバの一側端壁には押圧スライダーがスライドできるように設けられ、前記押圧スライダーの中にはクランクコンロッドがヒンジで連結され、前記クランクコンロッドが前記クランク軸と回転できるように連結され、前記クランク軸の底端が前記転輪溝の底壁を貫通しており且つ前記転輪溝の底壁と回転できるように連結され、前記クランク軸の外壁には回転輪が円周方向に固定的に設けられ、前記転輪溝の右側にはスライド板溝が設けられ、前記スライド板溝と前記ナッツ入口とが連通して設置され、前記スライド板溝の中にはスライド板がスライドできるように設けられ、前記スライド板の頂端には復帰機構が固定的に設けられ、前記スライド板の一側端面が張り線によって前記回転輪と伝動できるように連結され、小型モータを始動させ、クランク軸を回転させ、同時に回転輪がスライド板を引いて開け、押圧スライダーはナッツを押圧し、ナッツを落ちるようにさせることを特徴とする請求項１に記載の家庭用ナッツ殻割器。
【請求項３】
前記押圧機構は前記中部チャンバの中に回転できるように設置されるボルトを含み、左側の前記中部チャンバを例にして詳細に説明し、前記中部チャンバの中には上下に対称的に設置されるねじブロックがスライドできるように設けられ、前記ねじブロックは前記ボルトとねじ山によって連結され、且つ上下に対称的に設置されるねじブロックのねじ山が反対的に設けられ、前記中部チャンバの右側端壁の中にはプッシュプルロッドがスライドできるように設けられ、前記プッシュプルロッドと前記ねじブロックとの間はコンロッドによってヒンジで連結され、前記プッシュプルロッドの一側末端には押圧板が固定的に設けられ、前記押圧板が前記押圧チャンバの左右両側端壁の中にスライドできるように設けられ、ボルトが回転し、ねじブロックを互いに接近させ、それによりプッシュプルロッドが押圧板を押し動かして互いに接近させ、押圧板はナッツを絞り、ナッツの外殻を押しつぶすことを特徴とする請求項１に記載の家庭用ナッツ殻割器。
【請求項４】
前記動力機構は前記本体のうち底部に近接するところに設置される動力チャンバを含み、前記動力チャンバの底壁の中には動力モータが固定的に嵌め込まれ、前記動力モータの頂端には動力軸が伝動できるように連結され、前記動力軸の外壁には二組の同じのように設置される動力プーリが円周方向に設けられ、前記ボルトの底端が下方に延びていて設けられ、前記動力チャンバの左右両側端壁には同じのように設置されるベルトチャンバが設けられ、左側の前記ベルトチャンバを例にして詳細に説明し、前記ベルトチャンバにおいて前記ボルトの外壁には従動プーリが固定的に設けられ、前記従動プーリと前記動力プーリとの間はベルトによって伝動できるように連結され、動力モータを始動させ、動力軸を回転させ、動力軸は動力プーリを回転連動させ、これによりボルトを回転させることを特徴とする請求項３に記載の家庭用ナッツ殻割器。
【請求項５】
前記阻み板機構は前記阻み板チャンバを含み、前記阻み板チャンバの左右両側端壁には同じのように設置される凹溝が対称的に設けられ、右側の前記凹溝を例にして詳細に説明し、前記凹溝の中にはねじブロックがスライドできるように設置され、前記クランク軸の底端が前記凹溝を貫通しており且つ前記クランク軸の末端が前記凹溝の底壁と回転できるように連結され、前記クランク軸は前記ねじブロックとねじ山によって連結され、前記阻み板チャンバの頂壁には阻み板がヒンジで連結され、前記阻み板と前記ねじブロックとの間がプルロッドによってヒンジで連結され、クランク軸が回転し、前記ねじブロックを上に移動させ、阻み板を開けるまたは閉じることができることを特徴とする請求項２に記載の家庭用ナッツ殻割器。
【手続補正２】
【補正対象書類名】明細書
【補正対象項目名】全文
【補正方法】変更
【補正の内容】
【発明の詳細な説明】
【技術分野】
【０００１】
本発明はナッツ殻割技術分野を取り上げて、具体的には家庭用ナッツ殻割器である。
【背景技術】
【０００２】
現在のところ、伝統的なナッツ破砕殻割装置は一般的に手動で工具などを使ってナットの外殻を砕くことであり、ナッツが硬い場合は、作業者は大きな力でナッツを砕く必要があり、そのため使用時に不便で、作業者の力に対する要求もあり、したがって、ナッツを自動的に砕ける家庭用のナッツ殻割装置を設計して、上記の問題を解決する。
【先行技術文献】
【特許文献】
【０００３】
【特許文献１】中国特許出願公開第１０５３９５１０７号明細書
【発明の概要】
【発明が解決しようとする課題】
【０００４】
本発明は家庭用ナッツ殻割器を提供し、既存技術にある上記の欠点を解消することを目的とする。
【課題を解決するための手段】
【０００５】
本発明の家庭用ナッツ殻割器は本体を含み、前記本体の頂端にはナッツ入口が設けられ、前記ナッツ入口の左右両側にはクランクチャンバが設けられ、前記ナッツ入口の左右両側にはクランクチャンバが対称的に設けられ、前記クランクチャンバの中にはクランク機構が設けられ、前記クランク機構によってナッツを下方に落下させて前記ナッツ入口の中に引っかからないようにでき、前記ナッツ入口の底部には押圧チャンバが設けられ、前記押圧チャンバと前記ナッツ入口との間の連通しているところが開くたび一つのナッツしか通せなく、前記押圧チャンバの左右両側には中部チャンバが対称的に設けられ、前記中部チャンバの中には押圧機構が設けられ、前記押圧機構は前記ナッツの外殻を押しつぶすことができ、前記押圧チャンバの底部には阻み板チャンバが設けられ、前記阻み板チャンバの中には阻み板機構が設けられ、前記阻み板チャンバの底部には動力機構が設けられ、前記動力機構は押圧機構に動力を供給することができ、前記阻み板チャンバの底壁の中には貯蔵ボックスがスライドできるように設けられ、前記貯蔵ボックスは前記本体の前側端を貫通しており、前記貯蔵ボックスを前方に引き出すことができ、前記貯蔵ボックスに押しつぶしたナッツを盛り付ける。
【０００６】
前記クランク機構は前記クランクチャンバの底壁に設置される転輪溝を含み、左側の前記クランクチャンバを例にして詳細に説明する：前記クランクチャンバの中にはクランク軸が回転できるように設置され、前記クランク軸の頂端には小型モータが伝動できるように連結され、前記小型モータが前記クランクチャンバの頂壁の中に固定的に嵌め込まれ、前記クランクチャンバの一側端壁には押圧スライダーがスライドできるように設けられ、前記押圧スライダーの中にはクランクコンロッドがヒンジで連結され、前記クランクコンロッドが前記クランク軸と回転できるように連結され、前記クランク軸の底端が前記転輪溝の底壁を貫通しており且つ前記転輪溝の底壁と回転できるように連結され、前記クランク軸の外壁には回転輪が円周方向に固定的に設けられ、前記転輪溝の右側にはスライド板溝が設けられ、前記スライド板溝と前記ナッツ入口とが連通して設置され、前記スライド板溝の中にはスライド板がスライドできるように設けられ、前記スライド板の頂端には復帰機構が固定的に設けられ、前記スライド板の一側端面が張り線によって前記回転輪と伝動できるように連結され、小型モータを始動させ、クランク軸を回転させ、同時に回転輪がスライド板を引いて開け、押圧スライダーはナッツを押圧し、ナッツを落ちるようにさせる。
【０００７】
前記押圧機構は前記中部チャンバの中に回転できるように設置されるボルトを含み、左側の前記中部チャンバを例にして詳細に説明し、前記中部チャンバの中には上下に対称的に設置されるねじブロックがスライドできるように設けられ、前記ねじブロックは前記ボルトとねじ山によって連結され、且つ上下に対称的に設置されるねじブロックのねじ山が反対的に設けられ、前記中部チャンバの右側端壁の中にはプッシュプルロッドがスライドできるように設けられ、前記プッシュプルロッドと前記ねじブロックとの間はコンロッドによってヒンジで連結され、前記プッシュプルロッドの一側末端には押圧板が固定的に設けられ、前記押圧板が前記押圧チャンバの左右両側端壁の中にスライドできるように設けられ、ボルトが回転し、ねじブロックを互いに接近させ、それによりプッシュプルロッドが押圧板を押し動かして互いに接近させ、押圧板はナッツを絞り、ナッツの外殻を押しつぶす。
【０００８】
前記動力機構は前記本体のうち底部に近接するところに設置される動力チャンバを含み、前記動力チャンバの底壁の中には動力モータが固定的に嵌め込まれ、前記動力モータの頂端には動力軸が伝動できるように連結され、前記動力軸の外壁には二組の同じのように設置される動力プーリが円周方向に設けられ、前記ボルトの底端が下方に延びていて設けられ、前記動力チャンバの左右両側端壁には同じのように設置されるベルトチャンバが設けられ、左側の前記ベルトチャンバを例にして詳細に説明し、前記ベルトチャンバにおいて前記ボルトの外壁には従動プーリが固定的に設けられ、前記従動プーリと前記動力プーリとの間はベルトによって伝動できるように連結され、動力モータを始動させ、動力軸を回転させ、動力軸は動力プーリを回転連動させ、これによりボルトを回転させる。
【０００９】
前記阻み板機構は前記阻み板チャンバを含み、前記阻み板チャンバの左右両側端壁には同じのように設置される凹溝が対称的に設けられ、右側の前記凹溝を例にして詳細に説明し、前記凹溝の中にはねじブロックがスライドできるように設置され、前記クランク軸の底端が前記凹溝を貫通しており且つ前記クランク軸の末端が前記凹溝の底壁と回転できるように連結され、前記クランク軸は前記ねじブロックとねじ山によって連結され、前記阻み板チャンバの頂壁には阻み板がヒンジで連結され、前記阻み板と前記ねじブロックとの間がプルロッドによってヒンジで連結され、クランク軸が回転し、前記ねじブロックを上に移動させ、阻み板を開けるまたは閉じることができる。
【００１０】
初期状態では、押圧スライダーがお互いに最大程度で離れており、スライド板が互いに最大程度で近接しており、押圧板がお互いに最大程度で離れており、阻み板が開ける状態にある。
【００１１】
利用するとき、小型モータを始動させ、クランク軸を回転させ、クランク軸は押圧スライダーを連動させて移動させ、同時に回転輪が回転し、それによりスライド板を連動させて開け、押圧スライダーはナッツを押圧して一つのナッツを押圧チャンバの中に落とし、同時にクランク軸が回転し、前記ねじブロックを上に移動させ、これにより阻み板を閉じることができ、ナッツが阻み板に落ち、この時動力モータを始動させ、動力軸を回転させ、これにより動力プーリを回転連動させ、従動プーリがボルトを回転連動させ、ねじブロックを互いに接近させ、押圧板を互いに接近させてナッツの外殻を押しつぶし、押しつぶした後に動力モータと小型モータを反転させ、ナッツを貯蔵ボックスの中に落下させる。
【発明の効果】
【００１２】
本発明の有益な効果は：伝統的な手動で工具を使ってナットの外殻を砕くことと比べてみれば、本発明は手動で砕く手間を省き、人力を節約し、同時に二つのモータの協力により、その速度を上げ、効率がより高く、そして本発明は構造が簡単で、操作が便利で、宣伝価値がある。
【図面の簡単な説明】
【００１３】
【図１】図１は本発明の家庭用ナッツ殻割器の内部全体構成略図
【図２】図２は図１の中のＡ方向の局部拡大略図
【発明を実施するための形態】
【００１４】
下記に図１〜２を合わせて本発明について詳しく説明します。説明を便利にさせるように、ここで下記の方位に規定する：下記の上下左右前後という方向は図１の自身の投影関係の上下左右前後の方向と一致する。。
【００１５】
図１〜２を参照し、本発明の実施例の家庭用ナッツ殻割器は本体１０を含み、前記本体１０の頂端にはナッツ入口３９が設けられ、前記ナッツ入口３９の左右両側にはクランクチャンバ３４が設けられ、前記ナッツ入口３９の左右両側にはクランクチャンバ３４が対称的に設けられ、前記クランクチャンバ３４の中にはクランク機構６１が設けられ、前記クランク機構６１によってナッツ４０を下方に落下させて前記ナッツ入口３９の中に引っかからないようにでき、前記ナッツ入口３９の底部には押圧チャンバ４１が設けられ、前記押圧チャンバ４１と前記ナッツ入口３９との間の連通しているところが開くたび一つのナッツしか通せなく、前記押圧チャンバ４１の左右両側には中部チャンバ４５が対称的に設けられ、前記中部チャンバ４５の中には押圧機構６２が設けられ、前記押圧機構６２は前記ナッツ４０の外殻を押しつぶすことができ、前記押圧チャンバ４１の底部には阻み板チャンバ４２が設けられ、前記阻み板チャンバ４２の中には阻み板機構６３が設けられ、前記阻み板チャンバ４２の底部には動力機構６４が設けられ、前記動力機構６４は押圧機構６２に動力を供給することができ、前記阻み板チャンバ４２の底壁の中には貯蔵ボックス２１がスライドできるように設けられ、前記貯蔵ボックス２１は前記本体１０の前側端を貫通しており、前記貯蔵ボックス２１を前方に引き出すことができ、前記貯蔵ボックス２１に押しつぶしたナッツ４０を盛り付ける。
【００１６】
有益なまた例を示すように、前記クランク機構６１は前記クランクチャンバ３４の底壁に設置される転輪溝２８を含み、左側の前記クランクチャンバ３４を例にして詳細に説明する：前記クランクチャンバ３４の中にはクランク軸３５が回転できるように設置され、前記クランク軸３５の頂端には小型モータ３８が伝動できるように連結され、前記小型モータ３８が前記クランクチャンバ３４の頂壁の中に固定的に嵌め込まれ、前記クランクチャンバ３４の一側端壁には押圧スライダー３７がスライドできるように設けられ、前記押圧スライダー３７の中にはクランクコンロッド３６がヒンジで連結され、前記クランクコンロッド３６が前記クランク軸３５と回転できるように連結され、前記クランク軸３５の底端が前記転輪溝２８の底壁を貫通しており且つ前記転輪溝２８の底壁と回転できるように連結され、前記クランク軸３５の外壁には回転輪２９が円周方向に固定的に設けられ、前記転輪溝２８の右側にはスライド板溝３２が設けられ、前記スライド板溝３２と前記ナッツ入口３９とが連通して設置され、前記スライド板溝３２の中にはスライド板３１がスライドできるように設けられ、前記スライド板３１の頂端には復帰機構３３が固定的に設けられ、前記スライド板３１の一側端面が張り線３０によって前記回転輪２９と伝動できるように連結され、小型モータ３８を始動させ、クランク軸３５を回転させ、同時に回転輪２９がスライド板３１を引いて開け、押圧スライダー３７はナッツ４０を押圧し、ナッツ４０を落ちるようにさせる。
【００１７】
有益なまた例を示すように、前記押圧機構６２は前記中部チャンバ４５の中に回転できるように設置されるボルト１１を含み、左側の前記中部チャンバ４５を例にして詳細に説明し、前記中部チャンバ４５の中には上下に対称的に設置されるねじブロック１７がスライドできるように設けられ、前記ねじブロック１７は前記ボルト１１とねじ山によって連結され、且つ上下に対称的に設置されるねじブロック１７のねじ山が反対的に設けられ、前記中部チャンバ４５の右側端壁の中にはプッシュプルロッド１９がスライドできるように設けられ、前記プッシュプルロッド１９と前記ねじブロック１７との間はコンロッド１８によってヒンジで連結され、前記プッシュプルロッド１９の一側末端には押圧板２０が固定的に設けられ、前記押圧板２０が前記押圧チャンバ４１の左右両側端壁の中にスライドできるように設けられ、ボルト１１が回転し、ねじブロック１７を互いに接近させ、それによりプッシュプルロッド１９が押圧板２０を押し動かして互いに接近させ、押圧板２０はナッツ４０を絞り、ナッツ４０の外殻を押しつぶす。
【００１８】
有益なまた例を示すように、前記動力機構６４は前記本体１０のうち底部に近接するところに設置される動力チャンバ４６を含み、前記動力チャンバ４６の底壁の中には動力モータ１６が固定的に嵌め込まれ、前記動力モータ１６の頂端には動力軸１５が伝動できるように連結され、前記動力軸１５の外壁には二組の同じのように設置される動力プーリ４７が円周方向に設けられ、前記ボルト１１の底端が下方に延びていて設けられ、前記動力チャンバ４６の左右両側端壁には同じのように設置されるベルトチャンバ１４が設けられ、左側の前記ベルトチャンバ１４を例にして詳細に説明し、前記ベルトチャンバ１４において前記ボルト１１の外壁には従動プーリ１２が固定的に設けられ、前記従動プーリ１２と前記動力プーリ４７との間はベルト１３によって伝動できるように連結され、動力モータ１６を始動させ、動力軸１５を回転させ、動力軸１５は動力プーリ４７を回転連動させ、これによりボルト１１を回転させる。
【００１９】
有益なまた例を示すように、前記阻み板機構６３は前記阻み板チャンバ４２を含み、前記阻み板チャンバ４２の左右両側端壁には同じのように設置される凹溝２４が対称的に設けられ、右側の前記凹溝２４を例にして詳細に説明し、前記凹溝２４の中にはねじブロック２３がスライドできるように設置され、前記クランク軸３５の底端が前記凹溝２４を貫通しており且つ前記クランク軸３５の末端が前記凹溝２４の底壁と回転できるように連結され、前記クランク軸３５は前記ねじブロック２３とねじ山によって連結され、前記阻み板チャンバ４２の頂壁には阻み板２７がヒンジで連結され、前記阻み板２７と前記ねじブロック２３との間がプルロッド２６によってヒンジで連結され、クランク軸３５が回転し、前記ねじブロック２３を上に移動させ、阻み板２７を開けるまたは閉じることができる。
【００２０】
初期状態では、押圧スライダー３７がお互いに最大程度で離れており、スライド板３１が互いに最大程度で近接しており、押圧板２０がお互いに最大程度で離れており、阻み板２７が開ける状態にある。
【００２１】
利用するとき、小型モータ３８を始動させ、クランク軸３５を回転させ、クランク軸３５は押圧スライダー３７を連動させて移動させ、同時に回転輪２９が回転し、それによりスライド板３１を連動させて開け、押圧スライダー３７はナッツ４０を押圧して一つのナッツ４０を押圧チャンバ４１の中に落とし、同時にクランク軸３５が回転し、前記ねじブロック２３を上に移動させ、これにより阻み板２７を閉じることができ、ナッツ４０が阻み板２７に落ち、この時動力モータ１６を始動させ、動力軸１５を回転させ、これにより動力プーリ４７を回転連動させ、従動プーリ１２がボルト１１を回転連動させ、ねじブロック１７を互いに接近させ、押圧板２０を互いに接近させてナッツ４０の外殻を押しつぶし、押しつぶした後に動力モータ１６と小型モータ３８を反転させ、ナッツ４０を貯蔵ボックス２１の中に落下させる。
【００２２】
本発明の有益な効果は：伝統的な手動で工具を使ってナットの外殻を砕くことと比べてみれば、本発明は手動で砕く手間を省き、人力を節約し、同時に二つのモータの協力により、その速度を上げ、効率がより高く、そして本発明は構造が簡単で、操作が便利で、宣伝価値がある。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。